(57)【要約】【課題】杭の打込位置の調整を容易に行うことができる杭打込装置及び杭打込方法を提供すること。【解決手段】杭打込装置１は、吊り下げて移動可能なリーダ２を備えている。リーダ２には、リーダ２に沿って昇降可能な杭打込ユニット３が取り付けられている。リーダ２の下部には、ベース５が取り付けられている。ベース５は、アンカー６などの固定手段によって施工位置に固定されている。また、ベース５は、打込位置調整ユニット２０と傾斜角度調整ユニット２１とを備えている。【選択図】  図１
2004225298.tif 000002
【特許請求の範囲】
【請求項１】
吊り下げて移動可能なリーダと、前記リーダに沿って昇降可能に取り付けられた杭打込手段と、前記リーダの下部に取り付けられ施工位置に固定するための固定手段を有するベースとを備えた杭打込装置において、
前記ベースは、前記リーダを移動させて杭の打込位置を調整する打込位置調整手段を備えること、
を特徴とする杭打込装置。
【請求項２】
前記ベースは、前記リーダを傾けて前記杭の傾斜角度を調整する傾斜角度調整手段を更に備えることを特徴とする請求項１記載の杭打込装置。
【請求項３】
前記固定手段は、水平方向に延びる複数の突出部を外周面に有し前記ベースから下方に突設されるロッドを備え、前記ロッドを前記施工位置に形成された凹部に挿入し、前記突出部の先端を前記凹部の壁部に当接させ、前記ロッドと前記凹部の壁部との間隙にグラウトを充填して、前記施工位置への固定を行うことを特徴とする請求項１または２記載の杭打込装置。
【請求項４】
リーダに取り付けられる杭打込手段により杭を地盤に打ち込む杭打込方法であって、
前記リーダを吊り下げて前記杭の打込位置の上方まで移動し、
前記リーダを降下させて前記リーダの下部に取り付けられたベースを施工位置に固定し、
前記リーダを打込位置調整手段により前記ベースに対して移動させて前記杭の打込位置を調整すること、
を特徴とする杭打込方法。
【請求項５】
前記ベースを施工位置に固定した後、前記リーダを傾けて前記杭の傾斜角度を調整することを特徴とする請求項４記載の杭打込方法。
【発明の詳細な説明】
【０００１】
【発明の属する技術分野】
本発明は、軌道敷地内などにおいて杭の打込に用いられる杭打込装置及び杭打込方法に関する。
【０００２】
【従来の技術】
従来、杭の打込を行う装置として、電動オーガを昇降可能に取り付けたリーダをベースビームに立設して一体化し、これをクレーンによって吊り下げて杭の打込位置まで移動させ、杭の打込を行うものが知られている（例えば、特許文献１参照）。この装置は、軌道敷地内などでのクローラ式の杭打ち機では作業困難な場合に吊り下げ移動により杭打込を可能としようとするものである。
【０００３】
【特許文献１】
特開２００１−２４８３７５号公報
【０００４】
【発明が解決しようとする課題】
しかしながら、上記従来の装置では、リーダとベースビームとが一体化されているため、ベースビームを地盤に固定した後に杭の打込位置の調整を行うことは困難である。従って、地盤固定前にベースビームをクレーンで吊り下げて移動させる際に杭の打込位置の調整を行う必要があるが、クレーンによってベースビームを適切な位置に移動させるのは難しく、また、ベースビームの着地位置が適切でなかった場合は、再びクレーンで吊り上げて移動させなければならないため面倒である。
【０００５】
本発明の目的は、杭の打込位置の調整を容易に行うことができる杭打込装置及び杭打込方法を提供することである。
【０００６】
【課題を解決するための手段】
本発明は、吊り下げて移動可能なリーダと、リーダに沿って昇降可能に取り付けられた杭打込手段と、リーダの下部に取り付けられ施工位置に固定するための固定手段を有するベースとを備えた杭打込装置において、ベースは、リーダを移動させて杭の打込位置を調整する打込位置調整手段を備えること、を特徴とするものである。
【０００７】
このような杭打込装置によれば、リーダの下部に取り付けられたベースを固定手段によって施工位置の地盤や施工位置に構築される構造物に固定した後、ベースに備えられた打込位置調整手段によってリーダを移動させ杭の打込位置の調整を行う。これにより、ベースを杭の打込位置付近の任意の位置に固定した後、ベースを移動させることなくリーダのみを移動させることができるため、杭の打込位置を容易に調整することができる。
【０００８】
好ましくは、ベースは、リーダを傾けて杭の傾斜角度を調整する傾斜角度調整手段を更に備える。これにより、ベースを施工位置に固定した後に杭の傾斜角度を自在に調整することができるため、杭を所望の角度で打ち込むことができる。
【０００９】
また、好ましくは、固定手段は、水平方向に延びる複数の突出部を外周面に有しベースから下方に突設されるロッドを備え、ロッドを施工位置に形成された凹部に挿入し、突出部の先端を凹部の壁部に当接させ、ロッドと凹部の壁部との間隙にグラウトを充填して、施工位置への固定を行う。これにより、ベースを施工位置により強固に固定することができる。
【００１０】
本発明は、リーダに取り付けられる杭打込手段により杭を地盤に打ち込む杭打込方法であって、リーダを吊り下げて杭の打込位置の上方まで移動し、リーダを降下させてリーダの下部に取り付けられたベースを施工位置に固定し、リーダを打込位置調整手段によりベースに対して移動させて杭の打込位置を調整すること、を特徴とするものである。
【００１１】
このような杭打込方法によれば、リーダの下部に取り付けられたベースを杭の打込位置付近の任意の位置に固定した後、リーダのみを移動させることによって杭の打ち込み位置を調整することができる。従って、杭の打ち込み位置の調整が容易となる。
【００１２】
また、本発明の杭打込方法は、ベースを施工位置に固定した後、リーダを傾けて杭の傾斜角度を調整することを特徴としている。これにより、ベースを施工位置に固定した後に杭の傾斜角度を調整して、杭を所望の角度で打ち込むことができる。
【００１３】
【発明の実施の形態】
以下、図面を参照して、本発明の好適な実施形態について詳細に説明する。尚、同一要素には同一符号を用いるものとし、重複する説明は省略する。
【００１４】
図１は、本発明の第１実施形態に係る杭打込装置を示す図であり、図２は、図１に示す杭打込装置のＩＩ−ＩＩにおける概略矢視図である。杭打込装置１は、リーダ２を備えている。このリーダ２は、クローラなどの走行装置に取り付けられるものでなく、クレーン１０によって吊り下げて容易に移動可能となっている。また、リーダ２には、リーダ２に沿って昇降可能な杭打込ユニット３が取り付けられている。杭打込ユニット３は、杭４を地盤に打ち込む杭打込手段として機能するものであり、例えば、振動と回転の双方、或いはいずれか一方により杭４の打ち込みを行うものが用いられる。
【００１５】
リーダ２の下部には、ベース５が取り付けられている。ベース５は、図１に示すようなアンカー６などの固定手段によって施工位置の地盤や施工位置に構築される構造物に固定可能となっている。リーダ２は、下部をベース５によって支持され、上部をクレーン１０によって支持されることにより、安定して施工位置上方に縦立される。尚、施工位置へのベース５の固定は、ベース５を施工位置に固定可能であればその他の手法、装置を用いてもよく、例えば、カウンターウエイトをベース５に積載することによって行ってもよい。
【００１６】
ここで、固定手段の一例について図３を参照して説明する。図３における固定装置３５は、ベース５の底部に設けられたロッド３１を施工位置に形成された凹部３２に埋め込まれた鋼管３３内に挿入して定着させるものである。ロッド３１には、略水平方向に延びる複数の突出部３０が外周面に設けられている。この突出部３０は、先端が鋼管３３の壁面に当接している。これにより、ロッド３１を介してベース５の水平移動が防止される。そして、ロッド３１と鋼管３３との間隙は、モルタル等のグラウト３４によって充填されている。以上のように構成された固定装置３５は、突出部３０及びグラウト３４の作用により、ベース５を施工位置により強固に固定することができる。
【００１７】
図１，２に戻り、ベース５は、打込位置調整ユニット２０と傾斜角度調整ユニット２１とを備えている。
【００１８】
打込位置調整ユニット２０は、リーダ２を移動させて杭４の打込位置を調整する打込位置調整手段であり、例えば、ベース５上に載置された第１可動台２２と、第１可動台２２の上に載置された第２可動台２３とを備えている。
【００１９】
第１可動台２２には、ベース５と第１可動台２２とを連結し図２に示す矢印Ｙの方向に伸縮するジャッキユニット２４が取り付けられている。また、第１可動台２２の底部には、ベース５の表面に設けられた走行用溝２５上を走行する車輪２６が取り付けられている。これにより、第１可動台２２は、ジャッキユニット２４の伸縮に応じて、矢印Ｙの方向に水平移動可能となっている。
【００２０】
第２可動台２３には、第１可動台２２と第２可動台２３とを連結し図２に示す矢印Ｘの方向に伸縮するジャッキユニット２７が取り付けられている。また、第２可動台２３は、底部に車輪２８が取り付けられており、ジャッキユニット２７の伸縮に応じて矢印Ｘの方向に水平移動可能となっている。
【００２１】
打込位置調整ユニット２０は、第２可動台２３の上面に配されリーダ２と接続して一体化する支柱２９を更に備えている。この支柱２９は、第１可動台２２及び第２可動台２３の移動に連動して移動する。従って、支柱２９に接続されたリーダ２が支柱２９の移動に連動して移動する。
【００２２】
また、打込位置調整ユニット２０は、支柱２９の外周面の一部に設けられた歯部４０と噛合する歯車４１を備えている。支柱２９は、歯車４１の回転に応じて、周方向に回転するようになっている。
【００２３】
傾斜角度調整ユニット２１は、リーダ２を傾けて杭４の傾斜角度を調整する傾斜角度調整手段であり、例えば、図２に示す矢印Ｘ方向に伸縮するジャッキユニット２１ａと図２に示す矢印Ｙ方向に伸縮するジャッキユニット２１ｂとから構成されている。
【００２４】
ジャッキユニット２１ａは、支柱２９と第１可動台２２とを連結している。このジャッキユニット２１ａの伸縮により、支柱２９が矢印Ｘ方向に傾斜可能となっている。そして、支柱２９の傾斜に応じてリーダ２が矢印Ｘ方向に傾斜するようになっている。
【００２５】
ジャッキユニット２１ｂは、第２可動台２３と支柱２９とを連結している。このジャッキユニット２１ｂの伸縮により、支柱２９が矢印Ｙ方向に傾斜可能となっている。そして、支柱２９の傾斜に応じてリーダ２が矢印Ｙ方向に傾斜するようになっている。
【００２６】
次に、本実施形態に係る杭打込装置１の動作及び本実施形態に係る杭打込方法について説明する。図１に示すように、まず、下部にベース５、側部に杭打込ユニット３が取り付けられたリーダ２をクレーン１０によって吊り下げて杭４の打込位置の上方まで移動させる。そして、リーダ２を降下させてベース５を施工位置に固定する。尚、杭打込ユニット３は、ベース５を施工位置に固定した後、リーダ２に取り付けてもよい。
【００２７】
次に、杭打込ユニット３に杭４を取り付ける。その後、打込位置調整ユニット２０と傾斜角度調整ユニット２１とによってリーダ２を移動させ、杭４の打込位置と傾斜角度を調整する。
【００２８】
杭４の打込位置を調整する場合は、ジャッキユニット２４を伸縮させ第１可動台２２を移動させることにより、リーダ２を図２の矢印Ｙ方向に移動させる。これにより、杭４の矢印Ｙ方向の打込位置調整を行うことができる。
【００２９】
また、ジャッキユニット２７を伸縮させ第２可動台２３を移動させることにより、リーダ２を図２の矢印Ｘ方向に移動させる。これにより、杭４の矢印Ｘ方向の打込位置調整を行うことができる。
【００３０】
更に、歯車４１を回転させることにより、支柱２９を周方向に回転させる。これにより、杭４の打込位置の微調整を行うことができる。
【００３１】
一方、杭４の傾斜角度を調整する場合は、ジャッキユニット２１ａを伸縮させ支柱２９を傾けることにより、リーダ２を図２の矢印Ｘ方向に傾ける。これにより、杭４の矢印Ｘ方向の傾斜角度調整を行うことができる。
【００３２】
また、ジャッキユニット２１ｂを伸縮させ支柱２９を傾けることにより、リーダ２を図２の矢印Ｙ方向に傾ける。これにより、杭４の矢印Ｙ方向の傾斜角度調整を行うことができる。
【００３３】
こうして杭４の打込位置と傾斜角度を調整した後、杭打込ユニット３を稼働させ杭４を地盤に打ち込む。
【００３４】
上述した本実施形態に係る杭打込装置１及び杭打込方法によれば、ベース５を施工位置に固定した後に打込位置調整ユニット２０によってリーダ２を移動させ杭４の打込位置の調整を行うことができる。このため、ベース５は杭４の打込位置付近の任意の位置に固定すればよく、ベース５を移動させて打込位置を調整する場合に比べ、より容易に打込位置の調整を行うことができる。
【００３５】
また、傾斜角度調整ユニット２１を備えたことにより、ベース５を施工位置に固定した後、杭４の傾斜角度を自在に調整することができるため、所望の角度で杭４の打ち込みを行うことができる。
【００３６】
図４は、本発明の第２実施形態に係る杭打込装置を示す図であり、図５は、図４に示す杭打込装置のＶ−Ｖにおける概略矢視図である。本実施形態に係る杭打込装置５０は、図１に示す杭打込装置１における打込位置調整ユニット２０の部分が異なっている。
【００３７】
杭打込装置５０は、ベース５と支柱２９とを連結する打込位置調整ユニット５１を備えている。打込位置調整ユニット５１は、複数のジャッキユニット５１ａ〜５１ｆで構成されている。各ジャッキユニット５１ａ〜５１ｆは、一端がベース５に取り付けられ、他端が支柱２９の下部に取り付けられている。このジャッキユニット５１ａ〜５１ｆは、支柱２９を安定させるため、少なくとも３個用いて、支柱２９の下部を３箇所以上で支えるのが望ましい。
【００３８】
本実施形態に係る打込位置調整ユニット５１は、６個のジャッキユニット５１ａ〜５１ｆで構成されている。そして、支柱２９の下部の３箇所にそれぞれ２個のジャッキユニット５１ａ〜５１ｆが取り付けられている。
【００３９】
これらジャッキユニット５１ａ〜５１ｆは、それぞれ独立して伸縮可能となっている。そして、各ジャッキユニット５１ａ〜５１ｆを伸縮させることによって支柱２９を移動させ、リーダ２を図５に示す矢印Ｘ，Ｙ方向に自在に移動させることができる。従って、杭４の打込位置を容易に調整することができる。
【００４０】
以上、本発明を実施形態に基づき具体的に説明したが、本発明は上記実施形態に限定されるものではない。例えば、上記実施形態では、リーダ２をクレーン１０で吊り下げた状態でベース５に固定することにより上部と下部とでリーダ２を支持しているが、ベース５に固定した後はクレーン１０から取り外しベース５のみで支持してもよい。
【００４１】
【発明の効果】
本発明によれば、ベースを固定手段によって施工位置に固定した後、ベースに対しリーダを移動させて杭の打込位置の調整を行ことができる。従って、杭の打込位置を容易に調整することができる。
【図面の簡単な説明】
【図１】本発明の第１実施形態に係る杭打込装置を示す図である。
【図２】図１に示す杭打込装置のＩＩ−ＩＩにおける概略矢視図である。
【図３】固定手段の一例を示す概略図である。
【図４】本発明の第２実施形態に係る杭打込装置を示す図である。
【図５】図４に示す杭打込装置のＶ−Ｖにおける概略矢視図である
【符号の説明】
１…杭打込装置
２…リーダ
３…杭打込ユニット
４…杭
５…ベース
６…アンカー
１０…クレーン
２０…打込位置調整ユニット
２１…傾斜角度調整ユニット
２１ａ…ジャッキユニット
２１ｂ…ジャッキユニット
２２…可動台
２３…可動台
２４…ジャッキユニット
２７…ジャッキユニット
２９…支柱
３０…突出部
３１…ロッド
３２…凹部
３４…グラウト
３５…固定装置
４０…歯部
４１…歯車
５０…杭打込装置
５１…打込位置調整ユニット
５１ａ…ジャッキユニット
【図１】
2004225298.tif 000003
【図２】
2004225298.tif 000004
【図３】
2004225298.tif 000005
【図４】
2004225298.tif 000006
【図５】
2004225298.tif 000007